(57)【要約】【課題】  切断トーチの切断火炎の時間消費調整を回避して、切断トーチへ加熱ガスと加熱酸素を可変排出できる前記タイプの方法と手段を創作すること。【解決手段】  連続鋳造プラント内に或いは下流において鋳造ストランドと鋼工作材を酸素切断する方法と手段において、所定基準値に基づいて圧力と流量の変換器（１６、１７、１８）を備える膜（９）制御された圧力測定調整弁（１）によって、最適切断火炎を発生させる切断トーチの切断ノズルの加熱ガスと加熱酸素の供給が電気的に及び電子的に又はそれらのいずれか一方で調整され、再調整され、或いは遮断されること及び基準値からの所定最高偏差が確認され、表示され、信号化する或いは切断トーチ遮断のために使用されることか、又はそれらのいずれか一方のことである。切断トーチの切断火炎の時間消費調整が切断トーチに加熱ガスと加熱酸素を可変排出できる結果として回避される。【選択図】図１
2008110402.tif 000002
【特許請求の範囲】
【請求項１】
塊鉄とスラブの連続鋳造プラント内に或いは下流において冷間と熱間条件で鋳造ストランドと鋼工作材を安全且つ経済的に酸素切断する方法において、所定基準値に基づいて圧力と流量変換器（１６、１７、１８）を備える膜（９）制御された圧力測定調整弁（１）によって、最適切断火炎を発生させる切断トーチの切断ノズルの加熱ガスと加熱酸素の供給が電気式に及び電子式に又はそれらのいずれか一方の式で調整され、再調整され、或いは遮断され且つ基準値からの所定最高偏差が確認され、表示され、信号化する或いは切断トーチ遮断のために使用されるか、又は加熱ガスと加熱酸素の供給が調整され、再調整され、或いは遮断されるか、或いは所定最高偏差が確認され、表示され、信号する或いは切断トーチ遮断のために使用され、膜（９）は出入弁（６、７）により弁ドーム（５）内に圧縮ガスを充填されてガス流量とガス圧力に影響を与えるので、圧力変換器（１７）と流量変換器（１８）が配列されている上弁室（３）と圧力変換器（１６）が配列されている下弁室（４）との間の開口（１３）が膜（９）の動作により開閉することを特徴とする方法。
【請求項２】
流量と圧力の迅速だが段階的な修正のために、圧力変換器（１６、１７）と流量変換器（１８）が電気及び電子式制御システム（８）に達成された基準値或いはその偏差を報告するまで、圧縮ガスは膜（９）によって膜（９）制御された圧力測定調整弁（１）に供給され、膜制御された圧力測定調整弁から放出され、圧力測定調整弁は所定基準値に基づいて、ガス供給と放出の変動を制御するためや状態検出と情報のために比較値と調整値或いは測定値を処理することを特徴とする請求項１に記載の方法。
【請求項３】
各場合に使用される切断トーチの切断ノズルが較正処理により作られたそれぞれのノズルインサートの仕様書を備えていて、その仕様書は符号化によって比較値、基準値或いは初期値として電気及び電子式又はそれらのいずれか一方の制御システムにより切断トーチに統合されるノズルインサートに先立って或いはノズルインサートと共に採用されることを特徴とする請求項１或いは２に記載の方法。
【請求項４】
特に、バーコードは切断トーチのノズルインサートの最適切断火炎を調整するために比較、基準或いは初期値の符号化として形成されていることを特徴とする請求項３に記載の方法。
【請求項５】
切断トーチの最適切断火炎調整の符号化が特にスキャナーにより読み取られ、電気及び電子式又はそれらのいずれか一方の制御システムによりノズルインサートに自動的に調整されることを特徴とする請求項３或いは４に記載の方法。
【請求項６】
天然ガス、プロパンガス、コークガス或いはアセチレンは切断トーチの加熱ガスとして使用されることを特徴とする請求項１に記載の方法。
【請求項７】
ビレット、塊鉄とスラブの連続鋳造プラント内に或いは下流において冷間と熱間条件で鋳造ストランドと鋼工作材を安全且つ経済的に酸素切断する手段において、上弁室（３）と下弁室（４）を有する弁体（２）と、弁ドーム（５）と、ばね付勢された押圧ロッド（１２）と、制御システム（８）と連動された圧力と流量の変換器（１６、１７、１８）を備える膜（９）制御された圧力測定兼圧力調整弁（１）によって、弁ドーム（５）の膜（９）が圧縮ガスを充填されてガス供給とガス放出に影響を与えて、制御システム（８）と連動された一対のソレノイド弁（６、７）或いは比例弁によりガス流量とガス圧力の迅速だが段階的な修正を行って、圧力変換器（１７）と流量変換器（１８）が上弁室（３）に配列され、圧力変換器（１６）が下弁室に配列されていることを特徴とする手段。
【請求項８】
対のソレノイド弁（６、７）或いは比例弁は電気及び電子式又はそれらのいずれか一方の制御システム（８）と連動されて、ガスの供給と放出の変動を制御するためや、状態検出と状態情報のために、所定基準値に基づいて比較値と調整値或いは測定値を処理することを特徴とする請求項７に記載の手段。
【請求項９】
加熱ガスと加熱酸素の各一つの膜（９）制御された圧力測定兼圧力調整弁（１）が切断トーチの最適切断火炎を発生させるように設けられていることを特徴とする請求項７に記載の手段。
【発明の詳細な説明】
【技術分野】
【０００１】
この発明は、塊鉄とスラブの連続鋳造プラント内に或いは下流において冷間と熱間条件で鋳造ストランドと鋼工作材を安全且つ経済的に酸素切断する方法と手段に関する。    
【背景技術】
【０００２】
最終製品に一致して携帯できる長さに処理するために、連続鋳造鋼ストランドが連続鋳造プラントに細分割されなければならない。これら主として熱いスラブと塊鉄は酸素切断機で酸素切断トーチによって通常に分離される。そのような酸素切断機には、酸素切断流及び切断火炎又はそれらのいずれか一方が点火温度になった鋼を放出酸素スラグに変換して、それで運動中に切断に成長する継手を形成する。切断機デザインは特に約３５０ｍｍにまでの直径と断面をもつ丸い、正方と長方形状の火炎切断のために予定されている。
【０００３】
加熱ガスの圧力と流量を制御するために、減圧器が使用される。この減圧器は一度調整され、その調整後にいつも同じガス流量と同じガス圧力により作動する。しかし異なるガス圧力とガス流量が切断される工作片（塊鉄或いはスラブ）のタイプ或いは鋼等級に依存して火炎切断のために必要とされることは、時々必要である。
【０００４】
火炎切断処理のために必要とされた切断ノズルは切断トーチに形成される。切断トーチ点火後に、切断機操作人はその経験により切断火炎を視覚的に評価し、必要ならば、排出、即ち加熱ガスと加熱酸素の流量と圧力を再調整する。これは非常に時間がかかり、しばしばこの後で工作片と呼ばれる鋳造ストランド及び工作材又はそれらのいずれか一方の定性的不十分な切断領域を生じる。
【特許文献１】ドイツ特許第３５１０３８２号明細書
【特許文献２】ドイツ特許出願公開第４０１８０６６号明細書
【特許文献３】ドイツ特許出願公開第３５２４８７７号明細書
【特許文献４】ドイツ特許出願公開第３９１５２４７号明細書
【特許文献５】欧州特許第１２９９５２号明細書
【発明の開示】
【発明が解決しようとする課題】
【０００５】
この発明の目的は、切断トーチの切断火炎の時間消費調整を回避して、切断トーチへ加熱ガスと加熱酸素を可変排出できる前記タイプの方法と手段を創作することである。
【課題を解決するための手段】
【０００６】
手続によると、この目的は、所定基準値に基づいて圧力変換器と流量変換器によって膜制御された圧力測定調整弁によって、最適切断火炎を発生させる切断トーチの切断ノズルの加熱ガスと加熱酸素の供給を電気式及び電子式に又はそれらのいずれか一方で調整させ、再調整させ、或いは遮断させることにより及び基準値からの所定最高偏差を確認させ、表示させ、信号化する或いは切断トーチ遮断のために使用させることにより、又はそのいずれか一方により解決され、膜は出入弁により弁ドーム内に圧縮ガスを充填されてガス流量とガス圧力に影響を与えるので、圧力変換器と流量変換器が配列されている上弁室と圧力変換器が配列されている下弁室との間の開口が膜の動作により開閉する。通常には、天然ガス、プロパンガス、コークガス或いはアセチレンは切断トーチの加熱ガスとして使用される。
【０００７】
この方法によって、切断トーチの切断ノズルのノズル火炎の最適調整が達成される。加熱ガスと加熱酸素の流量と圧力の時間消費と時々欠陥再調整が省略され得る、なぜなら、これが所定基準値に基づいて圧力変換器と流量変換器をもつ制御された膜圧力測定調整弁により行われるからである。それで、切断ノズルの最適切断火炎の調整が自動化される。更に、切断ノズルの最適調整により、大量の加熱ガスと加熱酸素が節約され得る。
【０００８】
この発明のそれ以上の特性と利点は従属請求項から生じる。
【０００９】
好ましは、流量と圧力の迅速だが段階的な修正のために、圧力変換器と流量変換器が電気及び電子式制御システムに達成された基準値或いはその偏差を報告するまで、圧縮ガスが膜により供給されて制御された膜圧力測定調整弁から放出される。制御システムはガス供給と放出の変動を制御するためや状態検出と情報のために、所定基準値に基づいて、比較値と調整値或いは測定値を処理する。この作用は同様に切断トーチの最適切断火炎の自動調整を行う。
【００１０】
更に、各場合に使用される切断トーチの切断ノズルが較正処理により作られたそれぞれのノズルインサートの仕様書を備えている。この仕様書は符号化によって比較値、基準値或いは初期値として電気及び電子式又はそれらのいずれか一方の制御システムにより切断トーチに統合されるノズルインサートに先立って或いはノズルインサートと共に採用される。
【００１１】
それで、既に火炎切断機の製造業者は例えば口径測定器によって、所定基準値に基づいて電気及び電子式又はそれらのいずれか一方で最適切断火炎を発生させるために必要な圧力と加熱ガスと加熱酸素量を備える切断トーチの切断ノズルの供給を決定し、調整し且つ規制できる。基準値は火炎切断機の使用者にまでに通知され且つ切断トーチに直接に伝達されるか、又は火炎切断機の使用者にまでに通知される、或いは切断トーチに直接に伝達される。
【００１２】
したがって、特に、バーコードは好ましくは切断トーチのノズルインサートの最適切断火炎を調整する比較値、基準値或いは初期値の符号化として使用されて創作される。火炎切断機の操作者はバーコードを読み取ることができ、切断火炎の調整の基準値がスキャナーによりバーコードに記憶され、電気及び電子式又はそれらのいずれか一方の制御システムが自動的にノズルインサート上のバーコードを調整できる。
【００１３】
目的は、この発明によって、つまり前記タイプの手段によって、即ち、上下弁室と、弁ドーム、制御システムと連動された圧力と流量の変換器を備える膜制御された圧力測定兼圧力調整弁によって、弁ドームの膜が圧縮ガスを充填されてガス供給とガス放出に影響を与えて、制御システムと連動された一対のソレノイド弁或いは比例弁によりガス流量とガス圧力の迅速だが段階的な修正を行って、圧力変換器と流量変換器が上弁室に配列され、圧力変換器が下弁室に配列されていることによって実現される。加熱ガスと加熱酸素はここでガスとして使用されている。
【００１４】
この装置は、この発明の方法を記載したのと同じ利点と有効性を有する。この装置は加熱ガスと加熱酸素を切断トーチで可変供給できる。この接続では、通常の静止的に調整可能な減圧器の代わりに、制御可能な圧力と流量変換器が切断トーチのために使用されることが重要である。
【００１５】
対のソレノイド弁或いは比例弁は電気及び電子式又はそれらのいずれか一方の制御システムと連動されて、ガスの供給と放出の変動を制御するためや、状態検出と状態情報のために所定基準値に基づいて比較値と調整値或いは測定値を処理することが設けれている。
【００１６】
更に、加熱ガスと加熱酸素の各一つの膜制御された圧力測定兼圧力調整弁が切断トーチの最適切断火炎を発生させるために設けられていることが重要である。
【００１７】
前記特性と更に説明される特性は組合せて記載されるばかりではなく、他の組合せ或いは単独でこの発明の範囲を逸脱することなしに記載される。
【発明を実施するための最良の形態】
【００１８】
この発明思想は、図面に例示された次の実施例によって詳細に記載されている。図面の図は、ビレット、塊鉄とスラブの連続鋳造プラント内に或いは下流において冷間と熱間条件で鋳造ストランドと鋼工作材を安全且つ経済的に酸素切断する手段の膜制御された圧力測定兼圧力調整弁の概略図である。
【実施例】
【００１９】
加熱ガスと加熱酸素の圧力測定兼圧力調整弁１は上弁室３と下弁室４を備える弁体２から成る。更に、キューポラ状弁ドーム５が弁体２に置かれる。弁ドームは入口弁６と出口弁７を有し、それら弁は電気及び電子式又はそれらのいずれか一方の制御システム８と連動されて、ソレノイド弁或いは比例弁として形成されている。
【００２０】
上弁室３と弁ドーム５の間に膜９が配列されて、圧力測定兼圧力調整弁１の膜偏向を修正する予備制御器１０に接続されている。ガス流量とガス圧力の段階的変動のために、膜９が圧縮ガスを充填されて弁ドーム５の入口弁６と出口弁７を介してガス流量とガス圧力に影響を与える。
【００２１】
圧縮ばね１１により作用された弁押圧ロッド１２が膜９に静止し、矢印１４による下弁室４に流入するガス並びに矢印１５による上弁室３で放出するガスにより膜９の運動に依存して弁体２の上弁室３と下弁室４の間の開口１３を開閉する。
【００２２】
下弁室４内には圧力変換器１６が配列され、上弁室３では圧力変換器１７と流量変換器１８が配列されていて、制御システム８に接続されている。
【００２３】
圧力測定兼圧力調整弁１によって流れ圧力とそれで流れ流量の所定基準値によるガス流れがガス入口１４とガス出口１５を介して制御され且つ調整される。基準値は膜９を介してより低い圧力を発生するために、入口弁６を介してより高い圧力のガス流れの流入或いは出口弁７を介して存在ガスの流出により発生される。
【００２４】
膜９の上下の差圧は圧縮ばね１１と共働して開口１３を変えて、通過するガス流れを修正するので、所望されたガス流れが所望圧力をガス出口１５で放出される。圧力変換器１６、１７と流量変換器１８が検出されたガス圧力とガス量を電気信号に変換し、その電気信号は制御システム８に伝達され、制御システムに記憶された調整値と比較でき、その比較から圧力測定兼圧力調整弁１の弁ドーム５の入口弁６と出口弁７を開閉する制御信号が伝達される。
【図面の簡単な説明】
【００２５】
【図１】鋳造ストランドと鋼工作材を安全且つ経済的に酸素切断する手段の膜制御された圧力測定兼圧力調整弁の概略図である。
【符号の説明】
【００２６】
１．．．．．圧力測定兼圧力調整弁１
２．．．．．弁体
３．．．．．上弁室
４．．．．．下弁室
５．．．．．弁ドーム
６．．．．．入口弁（ソレノイド弁）
７．．．．．出口弁（ソレノイド弁）
８．．．．．制御システム
９．．．．．膜
１０．．．．予備制御器
１１．．．．圧縮ばね
１２．．．．弁押圧ロッド
１３．．．．開口
１４．．．．入口
１５．．．．出口
１６．．．．圧力変換器
１７．．．．圧力変換器
１８．．．．流量変換器
【図１】
2008110402.tif 000003